(57)【要約】      （修正有）【課題】人の手を借りずに凝りをほぐし、指圧の代用ができる着衣を提供する。【解決手段】着衣の内側に、先端が丸味をおびた円柱形の突起を肌側に接するように縫い付けるなどして取り付け、円柱形の突起は体の凝るツボと体型を考慮し、体に密接するように高さと位置をあらかじめ定めて並べる。更に体型の太さに合わせて、チョッキ風の着衣の前部分に調整と伸縮性を兼ねた、繊維の中にゴムヒモを織り込んだ伸縮性のあるゴム帯を取り付ける。【選択図】図１
0003160306.tif 000002
【実用新案登録請求の範囲】
【請求項１】
着衣（１）の内側（肌側）に突起（２）を取り付け、体の凝りが溜まるあたりを、指圧をするように肌を押すことを特徴とする、指圧代用着衣。
【請求項２】
前記着衣の前部分に体型に合わせて、伸縮可能なゴム帯（３）を取り付けたことを特徴とする、請求項１に記載の指圧代用着衣。
【請求項３】
請求項２に記載の伸縮可能なゴム帯（３）を体型に合わせて自在な位置で固定することのできる、マジックテープ（４）を取り付けたことを特徴とする、請求項１または２に記載の指圧代用着衣。
【考案の詳細な説明】
【技術分野】
【０００１】体の凝るツボに添って指圧をするように、チヨッキ風の着衣の内側に円柱形の突起を縫い付けるなどてして取り付け、更に体型に合わせて着衣が簡単に伸縮調整できるように、着衣の前部分に調整と締め込みを兼ねた伸縮性のゴム帯と、それを固定するマジックテープを取り付け、チョツキ風の衣を着込み指圧効果を得ようとするものである。
【背景技術】
【０００２】体中の凝りは痛となって、長時間の労働にはとても辛いものがある。作業中に手を休めて肩や腰にさわるのも人目があり、車の運転中ではなかなか思うように手も届かない。もう少し長く指圧をして体をほぐしたいと思っても、色々の都合があってできないことが多い。
【考案の概要】
【考案が解決ようとする課題】
【０００３】肩や背中や腰や股関節など、凝りによる痛みは短時間の指圧などでは容易には治まらない。人手をわずらわすこともできれば避けたいし、自分の思うとき好きな時間指圧をしたくとも、自分の体の裏側や側面には自身ではなかなか力が入れずらく、長時間の指圧は困難である。本考案は、この課題を解消したく考案たものである。
【課題を解消するための手段】
【０００４】チヨッキ風１の着衣の内側に体の凝るツボと体型の高低差を考慮し、それらに添い並べた円柱形２の突起を取り付け、更には体形に合わせて着衣の伸縮ができるように、着衣の前部分に調整と伸縮性を兼ねたゴム帯３と、それを止めるマジックテープ４を取り付けたチヨッキ風の着衣を作製する。
【発明の効果】
【０００５】体の凝るツボに添って指圧をするように、チヨッキ風の着衣の内側に円柱形の突起を取り付け、体型に合わせて着衣が伸縮できるように着衣の前部分には調整と伸縮性を兼ねたゴム帯とそのゴム帯を固定するマジックテープを取りつければ、チョツキ風の衣を着込みマジックテープのところで締め込み固定することで、人の手を借りることなく時間に制約もされることなく、思いのままに指圧の効果を得ることができると考える。
また、このチヨッキ風の衣を着衣していれば常に自身と供にあり、指圧用器具などをその都度セットすることもなく、自由に動くこともできるし、メタボの改善にも寄与すると思う。
更に、このチヨッキ風の衣を着込んで仰向きや横向きに寝転べば、自身の体重によって肩から股関節まで楽に気持ち良く、指圧の効果を得ることもできると考える。
【図面の簡単な説明】
【０００６】
【図１】チヨッキ風の衣の内側に体の凝りが生じるツボを押すための、円柱形の突起を並べ取り付け、チヨッキ風の衣の前部分には伸縮するゴム帯を固定するためのマジックテープを取り付けたチヨッキ風の衣の平面図である。
【図２】前記図１のチヨッキ風の衣の斜視図である。
【符号の説明】
【０００７】１・・・・・・・チヨッキ風の着衣本体
２・・・・・・・チヨッキ風の着衣本体の内側に取り付けた円柱形の突起
３・・・・・・・チヨッキ風の着衣の前部分に取り付けた伸縮性のゴム帯
４・・・・・・・チヨッキ風の着衣の前部分に取り付けた伸縮性のゴム帯を固定するマジ                ックテープ
【図１】
0003160306.tif 000003
【図２】
0003160306.tif 000004
【手続補正書】
【提出日】平成22年3月12日(2010.3.12)
【手続補正１】
【補正対象書類名】明細書
【補正対象項目名】全文
【補正方法】変更
【補正の内容】
【考案の詳細な説明】
【技術分野】
【０００１】  体の凝るツボに添って指圧をするように、チョッキ風の着衣の内側に肌を押す、先端が丸味をおびた円柱形の突起を縫い付けるなどして取り付け、更に着衣の前部分には体型への調整と締め込みを兼ねた伸縮性のあるゴム帯と、それを任意の位置で固定するマジックテープ（登録商標）を取り付け、チョッキ風の衣を着込むことにより指圧効果を得ようとするものである。
【背景技術】
【０００２】  体中の凝りは痛みと不快感を伴なって、長時間労働にはとても辛いものがある。作業中に手を休めて肩や腰にさわるのも人目があったり、車の運転中ではなかなか思うように手も出せない。少し時間をかけて体のツボを押し体をほぐしたいと思っても指が疲れたり、体の裏側や側面では自身の手も届きずらく難しい。
【考案の概要】
【考案が解決しようとする課題】
【０００３】  肩や背中や腰や股関節など凝りによる痛みや不快感を、他人の手や自身の手をわずらわすことなく、自分の思うときに長時間でも好きなだけ、体中の凝りをほぐしたいと思い本案を考案したものである。
【課題を解消するための手段】
【０００４】  チョッキ風の着衣の内側に、先端が丸味をおびた円柱形の突起を肌側に接するように縫い付けるなどして取り付け、円柱形の突起は体の凝るツボと体型を考慮し、体に密接するように高さと位置をあらかじめ定めて並べる。更に体型の太さに合わせて、チョッキ風の着衣の前部分に調整と伸縮性を兼ねた、繊維の中にゴムヒモを織り込んだ伸縮性のあるゴム帯を取り付け、ゴム帯が任意の位置で体を締め付け固定できるように、伸縮性のあるゴム帯の先端にマジックテープ（登録商標）を取り付ける。
【発明の効果】
【０００５】  チョッキ風の着衣を着込めば、着衣の内側に取り付けた先端が丸味をおびた円柱形の突起が肌側に接し、更にチョッキ風の着衣の前部分に取り付けた伸縮性のあるゴム帯を引き伸ばし、腹回りを締め付けるようにしてゴム帯の先端に取り付けられたマジックテープ（登録商標）で任意の位置に固定すれば、先端が丸味をおびた円柱形の突起が体の凝るツボを指圧するように押して凝りをほぐすと考える。
また、肩や背中は腹部で固定されたチョッキ風の着衣により、体を前後左右に動かすことで先端が丸味をおびた円柱形の突起が肌に押しあたり、指圧の効果を得ることができると考える。このチョッキ風の着衣を着ていれば常に指圧の効果が得られ指圧用器具などをセットすることなく自由に動くことができ、動けば指圧の効果は増し胴回りの締め付けでメタボの改善にも寄与すると思う。
更に、このチョッキ風の着衣を着込んで仰向きや横向きに寝転べば、自身の重みによって背中から腰、股関節まで、楽に気持ち良く指圧の効果を得ることもできると考えます。
【図面の簡単な説明】
【０００６】
【図１】チョッキ風の着衣（１）の内側に先端が丸味をおびた円柱形の突起（２）を体のツボに添って取り付け、チョッキ風の着衣の前部分には伸縮するゴム帯（３）とゴム帯（３）を任意の位置で固定するためのマジックテープ（登録商標）（４）を取り付けたチョッキ風の着衣の平面図である。
【図２】チョッキ風の着衣を側面方向から見た斜視図である。
【符号の説明】
【０００７】１・・・・・・・チョッキ風の着衣本体
２・・・・・・・チョッキ風の着衣本体の内側に肌側に接するように取り付けた先端が丸味をおびた円柱形の突起
３・・・・・・・チョッキ風の着衣の前部分に体を締め付けるために取り付けた繊維の中にゴムヒモを織り込んだ伸縮性のあるゴム帯
４・・・・・・・チョッキ風の着衣の前部分に取り付けた伸縮性のあるゴム帯を任意の位置で固定るためのマジックテープ（登録商標）
【手続補正２】
【補正対象書類名】実用新案登録請求の範囲
【補正対象項目名】全文
【補正方法】変更
【補正の内容】
【実用新案登録請求の範囲】
【請求項１】
着衣（１）の内側に肌側に接するように、先端が丸味をおびた円柱形の突起（２）を取り付け、着衣（１）を着込むことにより、先端が丸味をおびた円柱形の突起（２）が肌を指圧するように押すことを特徴とした指圧代用着衣。
【請求項２】
着衣（１）の前部分に繊維の中にゴムヒモを織り込んだ伸縮性のある、縦長で長方形のゴム帯（３）を取り付け、横に引き伸ばし先端が丸味をおびた円柱形の突起（２）を肌側に押しあてる際に、マジックテープ（登録商標）（４）を前記縦長で長方形のゴム帯（３）の側面に取り付け前記マジックテープ（登録商標）（４）で任意の位置に固定することを特徴とした請求項１に記載の指圧代用着衣。
【請求項３】
着衣（１）の内側に肌側に接するように取り付けた、先端が丸味をおびた円柱形の突起（２）は体の凝るツボに添ってあらかじめ並べ、前記着衣（１）の内側に取り付けてあることを特徴とした請求項１に記載の指圧代用着衣。
【請求項４】
着衣（１）の内側に肌側に接するように取り付けた、先端が丸味をおびた円柱形の突起（２）は体型の高低差を考慮し、突起の高さをあらかじめ体型に添うように、前記着衣（１）の内側に取り付けてあることを特徴とした請求項１に記載の指圧代用着衣。